(57)【要約】【課題】カメラと光源との接続手段において該光源を所望の位置及び角度に固定することが困難、或いは、該光源を固定するためには時間と手間がかかるという問題点を解決し、時間と手間がかけずに簡単に該光源を所望の位置及び角度に固定できるカメラと光源との接続手段を提供する。【解決手段】  第一接続杆３と第二接続杆７との間のジョイント９は、第二接続杆７の他端の球状体１７を第一接続杆３の他端に備えさせる雄ねじ筒と該雄ねじ筒に螺合する雌ねじ蓋１３との間に配設してなり、該雌ねじ蓋１３を若干締めると、該雌ねじ蓋１３の天板部２３に設けた透孔の内縁が該球状体１７を軽く押圧し、該球状体１７と該雄ねじ筒の底部内面の環状の段部とが当接することにより、該第二接続杆７は、該球状体１７の中心を傾動中心として傾動自在、且つ、該第二接続杆の中心軸を回動中心として回動自在となるため、該光源５が所望の位置と角度に調節自在となる。【選択図】図１
0003208802.tif 000002
【実用新案登録請求の範囲】
【請求項１】
一端をカメラに固定する第一接続杆と一端を光源に固定する第二接続杆との間にジョイントを備えるカメラと光源との接続手段であって、
該ジョイントは、
第一接続杆の他端には雄ねじ筒と該雄ねじ筒に螺合する雌ねじ蓋からなる球状体受具を備えさせ、
第二接続杆の他端には該雄ねじ筒の内径よりやや小さい外径の球状体を備えさせ、
該雄ねじ筒の底部内面には可撓性を有する環状の段部を備えさせ、
該雌ねじ蓋の天板部には、該第二接続杆における他端の球状体の外径より小さい内径の透孔を設けさせ、
該第二接続杆における他端の球状体を雄ねじ筒と雄ねじ筒に螺合する雌ねじ蓋との間に配設してなり、
該雌ねじ蓋を若干締めると、該雌ねじ蓋の天板部の透孔内縁が該球状体を軽く押圧し、該球状体と該雄ねじ筒の底部内面の環状の段部とが当接することにより、該第二接続杆は、該球状体の中心を傾動中心として傾動自在、且つ、該第二接続杆の中心軸を回動中心として回動自在となし、もって該光源の位置と角度とを調節自在ならしめ、
該雌ねじ蓋を強く締め付けることにより、該雌ねじ蓋の天板部の透孔内縁が該球状体を強く押圧し、該球状体と該雄ねじ筒の底部内面の環状の段部とが圧接することにより、該第二接続杆が固定されることを特徴とするカメラと光源との接続手段。
【請求項２】
前記雌ねじ蓋の外周壁を内外に貫く固定ねじを備えさせ、該雌ねじ蓋を若干締めて該光源を所望の位置と角度に設定した後、該固定ねじを締めて該雌ねじ蓋と該雄ねじ筒とを相互に回動不能ならしめ、該光源の位置と角度とを所望の状体に維持することを特徴とする請求項１に記載のカメラと光源との接続手段。
【考案の詳細な説明】
【技術分野】
【０００１】
本考案はカメラ、水中カメラ、ビデオカメラ、水中ビデオカメラ等と、ストロボ、ライト等のカメラ用の光源との接続手段に関するものである。
【背景技術】
【０００２】
従来より、カメラと光源との接続手段としては、カメラに固定する第一接続杆と光源に固定する第二接続杆との間にジョイントを備えさせて該光源を移動させて所望の位置と角度に固定する手段がある。特開平８−２１９３７５号公報には、該第一接続杆と該第二接続杆との間のジョイントとして、該第一接続杆端部の球状体と該第二接続杆端部の球状体とを単一の雄ねじ体を略中央部に備える２枚の金属プレートで挟み、該雄ねじ体を締め付けることにより該光源を固定してなるものを開示しているが、単一の該雄ねじ体を若干緩めると、第一接続杆と第二接続杆の両方が同時に回動自在となるため、該光源を所望の位置と角度に固定することが困難であるという問題点があった。  
【０００３】
また、特開平８−６９０３３号に示すカメラと光源との接続手段は、該光源を所望の位置と角度に固定するために第一接続杆と第二接続杆との間のジョイントに備えさせた複数の締め付け具の操作が必要となり、時間と手間がかかるという問題点があった。
【先行技術文献】
【特許文献】
【０００４】
【特許文献１】特開平８−２１９３７５号公報
【特許文献２】特開平８−６９０３３号公報
【考案の概要】
【考案が解決しようとする課題】
【０００５】
本考案は、カメラと光源との接続手段において該光源を所望の位置及び角度に固定することが困難であり、或いは、該光源を所望の位置及び角度に固定するためには時間と手間がかかるという従来技術における問題点を解決し、時間と手間をかけずに簡単に該光源を所望の位置及び角度に固定できるカメラと光源との接続手段を提供することを目的とする。
【課題を解決するための手段】
【０００６】
上記課題を解決するために、本発明は、下記のカメラと光源との接続手段を提供するものである。
【０００７】
（１）一端をカメラに固定する第一接続杆と一端を光源に固定する第二接続杆との間にジョイントを備えるカメラと光源との接続手段であって、
該ジョイントは、
第一接続杆の他端には雄ねじ筒と該雄ねじ筒に螺合する雌ねじ蓋からなる球状体受具を備えさせ、
第二接続杆の他端には該雄ねじ筒の内径よりやや小さい外径の球状体を備えさせ、
該雄ねじ筒の底部内面には可撓性を有する環状の段部を備えさせ、
該雌ねじ蓋の天板部には、該第二接続杆における他端の球状体の外径より小さい内径の透孔を設けさせ、
該第二接続杆における他端の球状体を雄ねじ筒と雄ねじ筒に螺合する雌ねじ蓋との間に配設してなり、
該雌ねじ蓋を若干締めると、該雌ねじ蓋の天板部の透孔内縁が該球状体を軽く押圧し、該球状体と該雄ねじ筒の底部内面の環状の段部とが当接することにより、該第二接続杆は、該球状体の中心を傾動中心として傾動自在、且つ、該第二接続杆の中心軸を回動中心として回動自在となし、もって該光源の位置と角度とを調節自在ならしめ、
該雌ねじ蓋を強く締め付けることにより、該雌ねじ蓋の天板部の透孔内縁が該球状体を強く押圧し、該球状体と該雄ねじ筒の底部内面の環状の段部とが圧接することにより、該第二接続杆が固定されることを特徴とするカメラと光源との接続手段。
【０００８】
（２）前記雌ねじ蓋の外周壁を内外に貫く固定ねじを備えさせ、該雌ねじ蓋を若干締めて該光源を所望の位置と角度に設定した後、該固定ねじを締めて該雌ねじ蓋と該雄ねじ筒とを相互に回動不能ならしめ、該光源の位置と角度とを所望の状態に維持することを特徴とする請求項１に記載のカメラと光源との接続手段。
【考案の効果】
【０００９】
請求項１の考案によれば、カメラと光源との接続手段において時間と手間をかけずに簡単に該光源を所望の位置及び角度に固定できる。
【００１０】
請求項２の考案によれば、カメラと光源との接続手段において時間と手間をかけずに容易に該光源の位置と角度とを所望の状態に維持することができる。
【図面の簡単な説明】
【００１１】
【図１】図１は、本考案に係るカメラと光源との接続手段の一例を示す斜視図である。
【図２】図２は、本考案に係る第一接続杆と第二接続杆との間のジョイントの部分拡大正面図であって、該第二接続杆は、該球状体の中心を傾動中心として傾動自在、且つ、該第二接続杆の中心軸を回動中心として回動自在な状態を示すものである。
【図３】図３は、本考案に係る第一接続杆と第二接続杆との間のジョイントの部分拡大正面断面図であって、該第二接続杆は、該球状体の中心を傾動中心として傾動自在、且つ、該第二接続杆の中心軸を回動中心として回動自在な状態を示すものである。
【図４】図４は、本考案に係る第一接続杆と第二接続杆との間のジョイントの部分拡大正面図であって、該第二接続杆が固定した状態を示すものである。
【図５】図５は、本考案に係る第一接続杆と第二接続杆との間のジョイントの部分拡大正面断面図であって、該第二接続杆が固定した状態を示すものである。
【図６】図６は、本考案に係る第一接続杆と第二接続杆との間のジョイントにおける雌ねじ蓋の平面断面図である。
【考案を実施するための形態】
【００１２】
本考案の実施の形態を添付図面に従って説明する。図１は本考案に係るカメラと光源との接続手段の一例を示す斜視図であって、一端をカメラ１に固定する第一接続杆３と一端を光源５に固定する第二接続杆７との間にはジョイント９を備えさせる。一例として、第一接続杆３に把持部３１を備えさせることによりカメラ１及び光源５を片手で持つことができ、もう片方の手で光源５の位置と角度との調整作業を可能ならしめる。
【００１３】
図２は該ジョイント９の部分拡大正面図であり、図３は該ジョイント９の部分拡大正面断面図であり、いずれも該第二接続杆７が第二接続杆７の他端に備えさせた球状体１７の中心を傾動中心として傾動自在、且つ、該第二接続杆の中心軸を回動中心として回動自在な状態を示すものである。第一接続杆３の他端には、雄ねじ筒１１と雄ねじ筒１１に螺合す雌ねじ蓋１３とからなる球状体受具１５を備えさせ、第二接続杆７の他端に備えさせた該球状体１７の外径は雄ねじ筒１１の内径よりやや小さいものとする。
【００１４】
該雄ねじ筒１１の底部内面には、可撓性を有する環状の段部１９を備えさせる。該環状の段部１９は合成樹脂により形成することが好ましく、一例としてポリオキシメチレン樹脂（ジュラコン樹脂）により形成する。更に、該環状の段部１９の中央凹部２０における該雄ねじ筒１１の底部内面に緩衝材２１を配することにより、該球状体１７が該雄ねじ筒１１の底部内面に当接して該球状体１７が傷つくことを予防する。該緩衝材２１は、合成樹脂により形成することが好ましく、一例としてウレタン樹脂により形成する。
【００１５】
該雌ねじ蓋１３の天板部２３には、前記球状体１７の外径より小さい内径の透孔２４を設け、該雌ねじ蓋１３の締緩作業を容易ならしめるために、一例として、該雌ねじ蓋１３外周部に操作つまみ３３を備えさせる。
【００１６】
前記球状体１７は、雄ねじ筒１１と該雄ねじ筒１１に螺合する雌ねじ蓋１３との間に配設してなるものであって、該雌ねじ蓋１３を若干締めると、該雌ねじ蓋１３の天板部２３に設けた透孔２４の内縁２５が該球状体１７を軽く押圧し、該球状体１７と該雄ねじ筒１１の底部内面の環状の段部１９とが当接することにより、該第二接続杆７は、該球状体１７の中心を傾動中心として傾動自在、且つ、該第二接続杆７の中心軸を回動中心として回動自在となるため、該光源５を所望の位置と角度に動かして調節することが可能となる。
【００１７】
図４は該ジョイント９の部分拡大正面図であり、図５は該ジョイント９の部分拡大正面断面図であり、いずれも該光源５が固定された状態を示すものである。該雌ねじ蓋１３を締め付けることにより、該雌ねじ蓋１３の天板部２３に設けた透孔２４の内縁２５が球状体１７を押圧し、該球状体１７と該雄ねじ筒１１の底部内面の該環状の段部１９とが圧接することにより、該第二接続杆７が固定される。
【００１８】
図６は、該ジョイント９における該雌ねじ蓋１３の平面断面図である。該雌ねじ蓋１３の外周壁を内外に貫く固定ねじ２７と該固定ねじ２７の雄ねじ２７ａに対応する雌ねじ２８ａを備えた雌ねじ穴２８を備え、該雌ねじ蓋１３を若干締めて前記光源５を所望の位置と角度とに調節した後、該固定ねじ２７を強く締めることにより、該雌ねじ蓋１３と該雄ねじ筒１１とを相互に回動不能ならしめ、該光源５の位置と角度とを所望の状態に維持することができる。
【符号の説明】
【００１９】
１  カメラ
３  第一接続杆
５  光源
７  第二接続杆
９  ジョイント
１１  雄ねじ筒
１３  雌ねじ蓋
１５  球状体受具
１７  球状体
１９  環状の段部
２０  中央凹部
２１  緩衝材
２３  天板部
２４  透孔
２５  内縁
２７  固定ねじ
２７ａ  固定ねじ２７の雄ねじ
２８  雌ねじ穴
２８ａ  雄ねじ２７ａに対応する雌ねじ
３１  把持部
３３  操作つまみ
【図１】
0003208802.tif 000003
【図２】
0003208802.tif 000004
【図３】
0003208802.tif 000005
【図４】
0003208802.tif 000006
【図５】
0003208802.tif 000007
【図６】
0003208802.tif 000008